(57)【特許請求の範囲】
【請求項１】
ＬＥＤ照明負荷にエネルギを供給するための主エネルギ蓄積インダクタを備えるスイッチモード電源と、
前記主エネルギ蓄積インダクタに磁気的に結合される電源インダクタ、及び補助負荷に整流電圧を供給するための整流ダイオードを含む補助電源回路とを有するＬＥＤ照明ドライバであって、
前記補助電源回路が、
前記補助負荷と、
前記補助負荷と並列に結合されるダミー負荷と、
前記補助負荷と並列の前記ダミー負荷の接続を制御するための制御回路と、
前記補助負荷によって引き出される電流を検知し、引き出される前記電流に応じて、前記補助負荷及び前記ダミー負荷によって組み合わせて引き出される電流がほぼ一定に保たれるように、前記制御回路を制御するための電流検知回路とを有するＬＥＤ照明ドライバ。
【請求項２】
前記制御回路が、トランジスタと、前記トランジスタをオフにするような前記トランジスタのゲートの基準電位への引き寄せを制御するための制御可能な電圧基準とを有する請求項１に記載のドライバ。
【請求項３】
前記ダミー負荷制御回路を無効化するためのダミー負荷無効化回路を更に有する請求項１又は２に記載のドライバ。
【請求項４】
前記ダミー負荷無効化回路が、スタンバイモードにおいては前記制御回路を無効化するよう適合される請求項３に記載のドライバ。
【請求項５】
前記ダミー負荷無効化回路が、前記ＬＥＤ照明負荷の駆動レベルがしきい値を超えるときは、前記制御回路を無効化するよう適合される請求項４に記載のドライバ。
【請求項６】
前記ダミー負荷無効化回路が、前記ＬＥＤ照明負荷の駆動レベルが前記しきい値未満であるときは、前記制御回路を有効にするよう適合される請求項５に記載のドライバ。
【請求項７】
前記ダミー負荷無効化回路が、前記ＬＥＤ照明負荷の前記駆動レベルが前記しきい値を超える量に依存する量だけ前記制御回路を無効化するよう適合される請求項５又は６に記載のドライバ。
【請求項８】
前記スイッチモード電源が、一段バックコンバータ又は一段バックブーストコンバータを含む請求項１乃至７のいずれか一項に記載のドライバ。
【請求項９】
前記スイッチモード電源が、非絶縁変換器を含む請求項１乃至８のいずれか一項に記載のドライバ。
【請求項１０】
請求項１乃至９のいずれか一項に記載のドライバと、
前記ドライバによって駆動されるＬＥＤ照明負荷と、
前記補助電源回路によって駆動される補助負荷とを有するＬＥＤ照明回路。
【請求項１１】
主エネルギ蓄積インダクタを備えるスイッチモード電源を使用してＬＥＤ照明負荷にエネルギを供給するステップと、
前記主エネルギ蓄積インダクタに磁気的に結合される電源インダクタ、及び整流ダイオードを使用して補助電源を生成し、前記補助電源を補助負荷に供給するステップと、
前記補助負荷によって引き出される電流に応じて、前記補助負荷及びダミー負荷によって組み合わせて引き出される電流がほぼ一定に保たれるように、前記補助負荷と並列の前記ダミー負荷の接続を制御するステップとを有するＬＥＤ照明方法。
【請求項１２】
前記ＬＥＤ照明負荷の駆動レベルがしきい値未満であるときは、前記ダミー負荷の制御を有効にするステップを有する請求項１１に記載の方法。
【請求項１３】
スタンバイモードにあるときは、又は前記ＬＥＤ照明負荷の駆動レベルが前記しきい値を超えるときは、前記ダミー負荷の制御を無効化するステップを更に有する請求項１２に記載の方法。
【請求項１４】
前記ＬＥＤ照明負荷の前記駆動レベルが前記しきい値を超える量に依存する量だけ前記ダミー負荷の制御を無効化するステップを有する請求項１３に記載の方法。
【請求項１５】
ＬＥＤ照明負荷にエネルギを供給するステップが、一段非絶縁バックコンバータ又は一段非絶縁バックブーストコンバータを使用するステップを含む請求項１１乃至１４のいずれか一項に記載の方法。
【発明の詳細な説明】
【技術分野】
【０００１】
本発明は、ＬＥＤ照明に関し、とりわけ、ＬＥＤ照明ドライバに関する。
【背景技術】
【０００２】
固体照明ユニット、とりわけ、ＬＥＤベースの（レトロフィット）ランプは、住宅及びオフィスにおいてますます使用されるようになっている。それらはまた、それらの高い効率に加えて、新しい設計特性、様々な色温度、調光機能などにより、消費者を引き付ける。
【０００３】
ＬＥＤ照明を既存の主電源（mains）照明器具に適合させるため、各ＬＥＤ照明ユニットは、ＡＣ主電源をＤＣ駆動信号に変換し、電圧レベルを下げるために変換回路を使用する。
【０００４】
変換回路は、一般に、整流器及びスイッチモード電力変換器を有する。
【０００５】
スイッチモード電力変換器の様々な可能な設計がある。低コストのスイッチモード電力変換器は、バックコンバータ又はバックブーストコンバータなどの一段変換器（single stage converter）である。どちらの場合も、負荷へのエネルギの供給を制御する主インダクタがある。主電力スイッチが、入力から主インダクタへのエネルギの供給を制御する。
【０００６】
主電力スイッチの動作のタイミング、とりわけ、デューティサイクルが、エネルギ伝達を制御する。リンギングチョークコンバータ（ＲＣＣ）は、スイッチングの周期的な動作が自己制御される典型的な自励発振変換器であり、低コストのＬＥＤドライバとして広く使用されている。他の例においては、ＩＣベースの変換器は、ＩＣを使用して主電力スイッチを制御ししている。その場合、このＩＣは、調光制御などの追加機能を実施し得る。
【０００７】
コストを削減したいという要望だけでなく、ＬＥＤ照明ユニット内には限られたＰＣＢスペースしかないことから、駆動回路内の構成要素のサイズ又は数を減らしたいという要望もある。調光可能なＬＥＤのためには、ローカル制御回路も必要とされる。
【０００８】
調光可能なソリューションのコストを削減するために、補助電源の、もとから必要とされているスイッチモード電力変換器との統合が提案されている。補助電源は、フライバック補助電源を使用して生成され得る。
【発明の概要】
【発明が解決しようとする課題】
【０００９】
回路のマイクロコントローラユニット（ＭＣＵ）などの補助構成要素の動的消費電流は事前に分からないことから、補助電源によって引き出される電流の変動から照明のちらつきが生じることがあり、これは、低い照明レベルにおいてとりわけ目に見える。これは、補助電源がドライバに統合されている場合、特に、ＬＥＤ電流源及びドライバの一段の単一ストリングの実施の問題である。
【課題を解決するための手段】
【００１０】
本発明は、請求項によって規定される。
【００１１】
本発明の或る態様による例によれば、
ＬＥＤ照明負荷にエネルギを供給するための主エネルギ蓄積インダクタを備えるスイッチモード電源と、
前記主エネルギ蓄積インダクタに磁気的に結合される電源インダクタ、及び補助負荷に整流電圧を供給するための整流ダイオードを含む補助電源回路とを有するＬＥＤ照明ドライバであって、
前記補助電源回路が、
ダミー負荷と、
前記補助負荷と並列の前記ダミー負荷の接続を制御するための制御回路と、
前記補助負荷によって引き出される電流を検知し、引き出される前記電流に応じて前記制御回路を制御するための電流検知回路とを有するＬＥＤ照明ドライバが提供される。
【００１２】
このドライバは、照明負荷を制御し、補助電源を生成する。補助電源の需要が前記照明負荷に供給される電力に与える影響を減らすために、ダミー負荷が使用される。それは、とりわけ、前記補助負荷及びダミー負荷によって組み合わせて引き出される電流をほぼ一定に保つことを可能にし得る。このやり方においては、前記補助電源の需要の変動によって引き起こされ得る照明負荷出力のちらつきは防止される。
【００１３】
前記制御回路は、例えば、トランジスタと、前記トランジスタをオフにするような前記トランジスタのゲートの基準電位への引き寄せを制御するための、ゲート制御ダイオード（gated diode）などの制御可能な電圧基準とを有する。前記トランジスタがオンにされる場合、電流は前記ダミー負荷を通過させられ、前記補助電源全体によって引き出される電流を増加させる。前記トランジスタがオフにされる場合、電流は前記ダミー負荷を通過させられない。前記ダミー負荷は、前記トランジスタのコレクタ・エミッタチャネル（又はソース・ドレインチャネル）と直列である。単一のトランジスタの代わりにトランジスタ回路が使用されてもよいことに留意されたい。
【００１４】
前記ダミー負荷制御回路を無効化するために、ダミー負荷無効化回路が設けられてもよい。これは、ちらつきが問題にならないときに、前記ダミー負荷に関連する電力消費を防止するために使用され得る。前記ダミー負荷無効化回路は、例えば、スタンバイモードにおいては、又は前記ＬＥＤ照明負荷の駆動レベルがしきい値を超えるときは、前記制御回路を無効化するよう適合され得る。スタンバイモードにあるときは、ちらつきは問題にならない。同様に、前記照明負荷が十分に明るいレベルになるよう駆動されるときは、ちらつきは知覚できなくなる。
【００１５】
前記ダミー負荷無効化回路は、好ましくは、前記ＬＥＤ照明負荷の駆動レベルが前記しきい値未満であるときは、前記制御回路を有効にするよう適合される。これは、前記補助電源に対する電流需要の変動に起因するちらつきの問題があるときである。
【００１６】
前記ダミー負荷無効化回路は、前記ＬＥＤ照明負荷の前記駆動レベルが前記しきい値を超える量に依存する量だけ前記制御回路を無効化するよう適合され得る。従って、前記ダミー負荷の使用の無効化は、或る照明レベルにおいて急にではなく、照明レベルの関数として徐々に実施されてもよい。
【００１７】
前記スイッチモード電源は、例えば、一段バックコンバータ又は一段バックブーストコンバータを含む。前記スイッチモード電源は、例えば、非絶縁変換器を含む。これらは、低コストであり、従って、補助電源と主回路負荷との間の非完全なデカップリングの結果としてちらつきが問題になり得る低性能ドライバである。
【００１８】
本発明は、
上で規定されているようなドライバと、
前記ドライバによって駆動されるＬＥＤ照明負荷と、
前記補助電源回路によって駆動される補助負荷とを有するＬＥＤ照明回路も提供する。
【００１９】
前記補助負荷は、調光機能を実施するマイクロコントローラユニット（ＭＣＵ）であってもよい。それは、前記スイッチモード電源の主スイッチも制御するＩＣであってもよい。
【００２０】
本発明は、
主エネルギ蓄積インダクタを備えるスイッチモード電源を使用してＬＥＤ照明負荷にエネルギを供給するステップと、
前記主エネルギ蓄積インダクタに磁気的に結合される電源インダクタ、及び整流ダイオードを使用して補助電源を生成し、前記補助電源を補助負荷に供給するステップと、
前記補助負荷によって引き出される電流に応じて、前記補助負荷と並列のダミー負荷の接続を制御するステップとを有するＬＥＤ照明方法も提供する。
【００２１】
前記ダミー負荷の制御は、前記ＬＥＤ照明負荷の駆動レベルがしきい値未満であるときは、有効にされてもよく、前記ダミー負荷の制御は、スタンバイモードにあるときは、又はＬＥＤ照明負荷の駆動レベルがしきい値を超えるときは、無効化されてもよい。前記ダミー負荷の制御の無効化は、前記ＬＥＤ照明負荷の前記駆動レベルが前記しきい値を超える量に依存する量だけであってもよい。
【００２２】
前記ＬＥＤ照明負荷にエネルギを供給するステップは、一段非絶縁バックコンバータ又は一段非絶縁バックブーストコンバータを使用するステップを含み得る。
【図面の簡単な説明】
【００２３】
ここで、添付図面を参照して、本発明の例を詳細に説明する。
【図１】標準的な一段非絶縁バックコンバータのレイアウトを示す。
【図２】補助電源を伴う本発明による回路を示す。
【図３】本発明によるＬＥＤ照明駆動方法を示す。
【発明を実施するための形態】
【００２４】
本発明は、補助電源を生成するスイッチモード電源を有するＬＥＤ照明ドライバを提供する。補助電源は、ダミー負荷と、補助負荷によって引き出される電流に応じて補助負荷と並列のダミー負荷の接続を制御するための制御回路とを有する。このやり方においては、補助電源の需要変動が光出力に与える影響が低減されるように、補助負荷によって引き出される電流がより安定的なものにされる。
【００２５】
本発明は、バックコンバータ及びバックブーストコンバータが最も一般的な例である低コストのスイッチモード電源にとって特に興味深いものである。
【００２６】
図１は、一次エネルギ蓄積要素としてインダクタＬ２を有するバックコンバータ（ステップダウンコンバータ）を示している。
【００２７】
バックコンバータは、２つのスイッチ、トランジスタの形態の主電力スイッチＭｍａｉｎ、及びフリーホイーリングダイオードＤｆｒｅｅによって制御される電流をインダクタＬ２において有する。回路の負荷は、コンデンサＣｌｏａｄによって表されている。主電力スイッチ、インダクタ及び負荷は、直列であり、フリーホイーリングダイオードＤｆｒｅｅは、インダクタ及び負荷の直列の組み合わせに並列に接続される。
【００２８】
トランジスタが開いた状態においては、回路内の電流は最初はゼロである。トランジスタが最初にオンにされるとき、電流は増加し始め、インダクタは、電流の変化に応じてその端子間に反対の電圧を生成する。この電圧降下は、入力における電圧を抑制し、それ故、負荷の両端の正味電圧（net voltage）を減らす。時間と共に、電流の変化率は低下し、次いで、インダクタの両端の電圧も低下し、負荷における電圧を増加させる。この期間中、インダクタは磁場の形態でエネルギを蓄積する。トランジスタは、電流がまだ変化している間に開けられ、故に、常に、インダクタの両端の電圧降下があり、負荷における正味電圧は、常に、入力電圧源より少ない。
【００２９】
インダクタは、交互に、負荷への電流源及び入力からの電流シンクとして機能する。
【００３０】
図１は、主インダクタＬ２が補助電源を生成するためにも使用されることができることを示している。示されているように、補助電源は、主インダクタＬ２に磁気的に結合されるインダクタＬ１と、整流ダイオードＤｒｅｃｔとを有する。これは、整流された補助電源を、コンデンサＣａｕｘによって表されている補助負荷に供給する。
【００３１】
照明回路の場合には、主負荷Ｃｌｏａｄは、ＬＥＤ照明であり、補助負荷Ｃａｕｘは、例えば、主スイッチＭｍａｉｎの動作のタイミングを制御するためのコントローラであり得る。このコントローラは、例えば、調光機能を実施する。
【００３２】
補助電源から引き出される電流は、例えば、補助負荷によって実施されているタスクに応じて、時間と共に変化し得る。これは、主インダクタＬ２から負荷Ｃｌｏａｄへのエネルギ伝達を変化させ、照明負荷の場合には、これは、光出力の望ましくない変調をもたらし得る。
【００３３】
本発明の第１の態様は、補助電源がより一定の電力需要を有することを確実にする機構を提供するものである。第２の態様は、システムの効率に与える影響が低減されるやり方においてこの機能を実行するものである。
【００３４】
図２は、本発明による照明システムを示している。
【００３５】
補助電源は、ブロック２０によって、電圧源Ｖ１及び出力コンデンサＣ２として表されている。この電圧源は、一般にバックコンバータ又はバックブーストコンバータであり得るスイッチモード電源の主インダクタからの誘導結合によって得られる。しかしながら、他のインダクタベースのスイッチモード電源も、補助電源を生成するために使用され得る。本発明は、特に、低コストで構成要素数の少ない回路にとってとりわけ興味深いものである。なぜなら、これらは、とりわけ、補助電源と、主負荷に供給される電力との間に結合があるという問題に悩まされるからである。従って、本発明は、（出力変圧器がないことを意味する）非絶縁スイッチモード電源、とりわけ、（例えば、別個の力率補正回路又は別個の補助電源回路がないことを意味する）一段電源にとってとりわけ有用である。一段電源は、調光機能などの他の機能を統合し得る。
【００３６】
補助負荷は、ブロック２４によって、電流源Ｉ１として表わされており、電流源Ｉ１は、マイクロコントローラユニット（ＭＣＵ）及び低ドロップアウト電圧レギュレータなどの補助負荷によって引き出される電流を表している。
【００３７】
初期補助電源２０は、初期補助電源２０と補助負荷２４との間にある補助電源回路２２に供給される。回路２２は、制御されたやり方においてエネルギを放散するために使用されるダミー負荷Ｒ７を有し、故に、回路の総エネルギ需要、とりわけ、電流需要は、より一定にされる。
【００３８】
ダミー負荷は、補助負荷Ｉ１と並列に接続される抵抗器Ｒ７を有する。ダミー負荷Ｒ７を通過させられる電流は、直列接続されるトランジスタＱ３によって制御される。従って、トランジスタＱ３は、補助負荷と並列のダミー負荷の接続を制御するための制御回路として機能する。
【００３９】
トランジスタＱ３のベースは、ベース抵抗器Ｒ８を介して補助供給電圧に接続され、それはそれ自体でトランジスタＱ３を常にオンにする。
【００４０】
回路は、補助負荷によって引き出される電流を検知し、引き出される電流に応じてトランジスタＱ３のスイッチングを制御するための電流検知回路２３を更に有する。
【００４１】
電流検知回路２３は、制御可能な電圧基準Ｕ１、とりわけ、示されている例においてはゲート制御ダイオードに制御電圧を供給する。制御可能な電圧基準Ｕ１は、トランジスタＱ３のベースを引き下げることができ、それによって、トランジスタＱ３をオフにし、電流がダミー負荷Ｒ７を通して引き出されるのを防止する。従って、それは、トランジスタＱ３におけるゲート電圧を接地に対して制御する。それは、接地への制御可能な伝導経路を供給する。このやり方においては、電流がダミー負荷Ｒ７を通して引き出される代わりに、電流がベース抵抗器Ｒ８及び制御可能な電圧基準Ｕ１を通して引き出される。ベース抵抗器Ｒ８は、ダミー負荷（例えば、１００オーム）よりもはるかに高い抵抗（例えば、１５キロオーム）を持ち、従って、消費電力はごくわずかである。
【００４２】
電流検知回路２３は、（第１分岐は、抵抗器Ｒ２、Ｒ４及びトランジスタＱ１であり、第２分岐は、抵抗器Ｒ５及びトランジスタＱ２である）２つの分岐を備える不平衡カレントミラー構成を有する。分岐の上部間の抵抗器Ｒ１は、電流検知抵抗器として機能する。補助負荷によって引き出される電流は、低い抵抗（例えば、１８オーム）を持ち、従って、消費電力はごくわずかである抵抗器Ｒ１を通過する。
【００４３】
抵抗器Ｒ１の値は、補助電源の、最大期待出力電流に対応し得る公称電流レベルを規定するよう選択される。電流がこの最大値未満である場合、電流検知回路からの出力電圧は低下する。この出力が制御可能な電圧基準Ｕ１に供給され、トランジスタＱ３のベースのプルダウンが減らされ、従って、トランジスタがそのベース抵抗器Ｒ８を介してオンにされることを可能にする。
【００４４】
この回路はアナログ制御を供給する。電流検知信号のフィードバック接続は、制御された量の追加電流をダミー負荷Ｒ７を通して引き出すことによって、合計電流を公称レベルに調整するのに役立つ。このやり方においては、合計電流は一定に保たれる。
【００４５】
このやり方においては、補助電源が照明負荷に供給される電力に与える影響は、ダミー負荷によって低減される。従って、補助電源の需要の変動によって引き起こされ得る照明負荷出力のちらつきは防止される。
【００４６】
このアプローチに関する１つの問題は、ダミー負荷を使用することにより増加した電力消費があることである。アプリケーションによっては、この更なる電力消費は最小限に抑えなければならない。目に見えて分かるちらつきの発生が防止されているときには、電力消費の増加は許容できるかもしれない。しかしながら、ちらつきが問題にならず、電力消費の増加が正当化されないときもあり得る。
【００４７】
図２は、ダミー負荷無効化回路２６を示している。これは、電流検知回路２３によって実施される制御とは無関係にトランジスタＱ３のベースをプルダウンすることにより、ダミー負荷制御回路２２を無効にすることができる。
【００４８】
これは、ちらつきが問題にならないときに、ダミー負荷に関連する電力消費を防止するために使用され得る。ダミー負荷無効化回路は、プルダウントランジスタＭ１と、ゲート抵抗器Ｒ３及びゲートコンデンサＣ１を介してトランジスタＭ１のゲートを制御するための電圧源Ｖ３とを有する。
【００４９】
トランジスタＭ１がオンにされるとき、トランジスタＱ３のベースは接地へ引き下げられ、トランジスタＱ３をオフにする。無効化回路２６及び制御可能な電圧基準Ｕ１は、どちらか一方がトランジスタＱ３をオフにすることによってダミー負荷Ｒ７を切り離すことができるように、本質的にＯＲ構成で接続される。
【００５０】
ダミー負荷無効化回路２６は、スタンバイモードにおいては、又はＬＥＤ照明負荷の駆動レベルがしきい値を超えるときは、制御回路を無効化するよう適合され得る。スタンバイモードにあるときは、ちらつきは問題にならない。同様に、照明負荷が十分に明るいレベルになるよう駆動されるときは、ちらつきは知覚できなくなる。従って、電圧源Ｖ３は、これらの状況においては高い電圧を供給する。
【００５１】
ダミー負荷無効化回路は、ＬＥＤ照明負荷の駆動レベルがしきい値未満であるときは、制御回路２２のダミー負荷機能を有効にするよう適合される。この期間中、電圧源Ｖ３は、低い電圧を供給する。これは、補助電源に対する電流需要の変動に起因するちらつきの問題があるときである。
【００５２】
ダミー負荷無効化回路２６は、バイナリ方式で機能してもよく、又はアナログ方式で機能してもよい。アナログの場合には、制御回路２２は、ＬＥＤ照明負荷の駆動レベルがしきい値を超える量に依存する量だけ無効化される。
【００５３】
その場合、しきい値レベルと実際の駆動レベルとの間の差が制御パラメータになる。駆動レベルがしきい値以下であるとき、ダミー負荷機能は有効にされる。駆動レベルがしきい値を上回るとき、制御パラメータは、トランジスタＱ３がアナログ方式でオン／オフされる量を決定し、その場合、これは、ダミー負荷Ｒ７へ流れる電流を制御する。
【００５４】
制御パラメータとトランジスタＱ３のベースに印加される駆動レベルとの間の関数は、線形であってもよく、又は非線形であってもよい。ダミー負荷は、駆動レベルが、その最大レベル、例えば、第２しきい値に達する前に、完全に無効化されてもよい（即ち、トランジスタＱ３は完全にオフにされる）。従って、ダミー負荷がアクティブである状態と非アクティブである状態との間の移行は、２つのしきい値レベルの間で行われてもよい。任意の適切な関数が、輝度レベルとダミー負荷利用との関係を決定するために使用され得る。
【００５５】
従って、ダミー負荷の使用の無効化は、或る照明レベルにおいて急にではなく、照明レベルの関数として徐々に実施されてもよい。
【００５６】
例えば、トランジスタＭ１が徐々にオンにされるにつれて、それは、トランジスタＱ３のベースからの電流のための増大する漏れ経路を与え、それによって、トランジスタＱ３を徐々にオフにし、従って、ダミー負荷Ｒ７を通る電流をアナログ方式で制御する。トランジスタＭ１のゲートは、パルス幅変調信号によって制御されてもよく、その場合、前記パルス幅変調信号は、ゲートコンデンサＣ１によって平滑化される。従って、トランジスタＱ３の導通のアナログ制御を実施するために、トランジスタＭ１のゲートにおいて本質的にデジタルの制御信号が使用されてもよい。
【００５７】
ダミー負荷無効化回路は、効率とローエンドレベルのちらつき動作（flicker performance）との間のトレードオフの改善を可能にする。
【００５８】
例として、設定される調光レベルが、（制御しきい値として機能する）５０％より高い照明レベルに対応する場合、ダミー負荷回路は、制御信号Ｖ３を介して徐々にオフに切り替えられる。（しきい値５０％未満の照明レベルに）減光中、回路はオンに切り替えられる。
【００５９】
照明負荷Ｃｌｏａｄは、ＬＥＤ照明負荷を含み、それは、ＬＥＤの単一のストリングを含んでもよく、又は直列及び／若しくは並列ＬＥＤのより複雑なネットワークを含んでもよい。
【００６０】
図３は、図２の回路が動作する方法を示している。
【００６１】
ステップ３０では、主エネルギ蓄積インダクタを有するスイッチモード電源を使用してＬＥＤ照明負荷にエネルギが供給される。
【００６２】
ステップ３２では、整流ダイオード及び主エネルギ蓄積インダクタに磁気的に結合される電源インダクタを使用して補助電源が生成される。
【００６３】
ステップ３４では、補助電源が補助負荷に供給される。
【００６４】
ステップ３６では、補助負荷によって引き出される電流に応じて、補助負荷と並列にダミー負荷が接続される。
【００６５】
本発明は、統合電力構成を備える照明システムにとって興味深いものである。最も興味深いのは、特に低コストの接続ランプのための、補助電源を使用する統合マイクロコントローラを備える一段の単一ストリングのＬＥＤ照明アプローチである。
【００６６】
上記では、ダミー負荷制御回路及びダミー負荷無効化回路の一例しか示されていない。しかしながら、様々なやり方で同じコア機能が実施され得る。例えば、検知される流れている負荷電流の関数である制御信号を生成するために、任意の適切な電流検知回路が使用されてもよい。単純な単一の駆動トランジスタＱ３よりも複雑なダミー負荷駆動回路も使用されてもよく、ダミー負荷自体は、抵抗器に限定されない任意の損失の大きい構成要素であってもよい。トランジスタゲートをプルダウンするために使用される制御可能な電圧基準は、ゲート制御ダイオード、制御可能なシャントレギュレータ、又は他のトランジスタ回路として実施されてもよい。
【００６７】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、互いに異なる従属請求項において挙げられているという事実は、これらの手段の組み合わせが有利になるように用いられることができないことを示すものではない。請求項における如何なる参照符号も、範囲を限定するものとして解釈されてはならない。
【図１】
0006693001.tif 000002
【図２】
0006693001.tif 000003
【図３】
0006693001.tif 000004